(57)【要約】【課題】オス部材とメス部材を手際よく係合させると共に、バックルの軸方向及び垂直方向での抗引張り強度を高める。【解決手段】バックル３は、少なくともオス部材２と、メス部材１とを備える。メス部材１の前方には開口１１が設けられ、開口１１内には係合空間１１１が設けられ、係合空間１１１の両側にはガイド空間１１３が設けられる。オス部材２はメス部材１の開口１１に嵌合可能であり、その前方にはメス部材１の係合空間１１１内で係止可能な係合部２１が設けられ、係合部２１の両側にはガイド空間１１３内にスライド進入可能なガイド突起２１５がそれぞれ設けられている。係合空間１１１内には下方に向けて突出した係合爪が設けられ、オス部材２の片側支持状態の係合部２１に対応して係止保持する。【選択図】図２
2009056302.tif 000002
【特許請求の範囲】
【請求項１】
少なくともオス部材と、メス部材とを備えたバックルであって、
前記メス部材の前方には開口が設けられ、前記開口内には係合空間が設けられ、前記係合空間の両側にはガイド空間が設けられており、
前記オス部材は前記メス部材の開口に嵌合可能であり、その前方には前記メス部材の係合空間内で係止可能な係合部が設けられ、前記係合部の両側には前記ガイド空間内にスライド進入可能なガイド突起がそれぞれ設けられていることを特徴とするバックル。
【請求項２】
前記メス部材の係合空間内には、下方に向けて突出した係止爪が設けられ、
前記オス部材の係合部には、前記メス部材の係止爪に係合する係止爪が上方に向けて突設されていることを特徴とする請求項1に記載のバックル。
【請求項３】
前記メス部材の開口と反対側の後方には、ベルトを予め挿通するためのベルト取付部が設けられていることを特徴とする請求項1に記載のバックル。
【請求項４】
前記オス部材の係合部上には、押下することにより当該係合部の係合を解除することができる押圧面が設けられるとともに、前記押圧面上には、滑り止め突起が設けられていることを特徴とする請求項1に記載のバックル。
【請求項５】
前記オス部材の係合部は、前方側に向けて片側支持状態で弾力性のある係合部であり、
前記係合部の両側にはそれぞれ当接部と隔離溝が設けられており、
前記メス部材の係合空間の両側には、前記係合部の両側の当接部に当接して前記係合部の弾性変形を規制するためのストッパ平面が設けられていることを特徴とする請求項１に記載のバックル。
【請求項６】
前記オス部材の係合部と反対側の後方には、ベルトを予め挿通するためのベルト取付部が設けられていることを特徴とする請求項1に記載のバックル。
【発明の詳細な説明】
【技術分野】
【０００１】
本発明は前開き式のバックルを提供するものであり、特に、軽い係止力で使用されるバックルであり、オス部材の係合部がメス部材の係合空間内で弾性的に係合されるとともに、係合部両側のガイド突起が係合空間両側のガイド空間にスライドして進入することで、確実に係止固定する目的を達成する。
【背景技術】
【０００２】
現在、ベルトにて長さを調整し、着脱可能な結着などに使用されるものとしては、ベルト間で適度な引張、伸縮用としてバックル（留め具）で着脱可能に連結して、ベルトの調整を行うものが最もよく使用されている。例えばリュックサック、衣服、帽子、靴、スーツケース、旅行バッグなどには、いずれもベルト上にバックルが設けられている。
【０００３】
図７及び図８を同時に参照されたい。図中から明確に理解できるように、このような従来のバックルＡは、主にオス部材Ａ１の両側に弾性腕部Ａ１１が各々設けられるとともに、両側の弾性腕部Ａ１１の間には棒状体Ａ１２が設けられている。そして、メス部材Ａ２には開口Ａ２１が設けられるとともに、開口Ａ２１の内側にはガイドレールＡ２１１が設けられる。
【０００４】
そこで、オス部材Ａ１の弾性腕部Ａ１１及び棒状体Ａ１２がメス部材Ａ２の開口Ａ２１から挿入されるとともに、オス部材Ａ１の棒状体Ａ１２がメス部材Ａ２の開口Ａ２１内のガイドレールＡ２１１に位置合せされて、弾性腕部Ａ１１の末端の係止爪Ａ１３がメス部材Ａ２の両側の側部開口Ａ２２に係合した後、係止爪Ａ１３と弾性腕部Ａ１１との間の折り返し面に形成された切欠きＡ１４が側部開口Ａ２２の側部壁面Ａ２２１に固定される。
【発明の開示】
【発明が解決しようとする課題】
【０００５】
しかし、従来のバックルＡでは係合の効果を得られるものの、下記のような欠点および不足がある。
（１）従来のバックルＡの設計構造では、使用者の指でメス部材Ａ２の両側の側部開口Ａ２２を介してオス部材Ａ１の係止爪Ａ１３を内側に押下しなければ、オス部材Ａ１とメス部材Ａ２との係合状態を解除できないため、従来のバックルＡを比較的小さな物品（例えば帽子のバックル、ペットのリード、下着、ＩＤカードなど）に用いることができない。もしオス部材Ａ１およびメス部材Ａ２の全体規格を縮小したときには、使用者の指がオス部材Ａ１の係止爪Ａ１３を押動し難くなり操作の不便、または、空間が小さすぎるために押下できないという不具合が生じてしまう。
【０００６】
（２）この従来のバックルＡの設計構造は比較的複雑であり、しかもオス部材Ａ１とメス部材Ａ２との組み付け公差が厳格であることから、全体の製作が更に難しくなり、製品の歩留まりが悪くなってしまう。
【０００７】
（３）従来のバックルＡのオス部材Ａ１はメス部材Ａ２に押入された後、オス部材Ａ１の弾性腕部Ａ１１及び棒状体Ａ１２が、メス部材Ａ２の開口Ａ２１内のガイドレールＡ２１１に位置合わせされなくなり易く、ひいては位置ずれ状態が生じて、使用者が再び係合を行うときの取り扱いが不便になってしまう事態を招く。
【０００８】
したがって、従来のバックルでは組立、係合、解除のときの難度および不便である問題を如何に解決するかということは、当業者が研究して改善すべき方向である。
よって、発明者は上記問題および欠点に鑑み、関連する資料を集め、多面的な評価および思索を経て、しかも当業者が積み重ねた長年の経験をもって、絶えず試作および修正を重ねて、このような構造が簡単で、位置合わせが迅速に行えるとともに、軸方向での弛みを防止できる前開き式のバックルの発明がなされたわけである。
【課題を解決するための手段】
【０００９】
本発明のバックルは、少なくともオス部材と、メス部材とを備えたバックルであって、
前記メス部材の前方には開口が設けられ、前記開口内には係合空間が設けられ、前記係合空間の両側にはガイド空間が設けられており、
前記オス部材は前記メス部材の開口に嵌合可能であり、その前方には前記メス部材の係合空間内で係止可能な係合部が設けられ、前記係合部の両側には前記ガイド空間内にスライド進入可能なガイド突起がそれぞれ設けられていることを特徴とする。
【００１０】
尚、上記構成のバックルにおいて、前記メス部材の係合空間内には、下方に向けて突出した係止爪が設けられ、
前記オス部材の係合部には、前記メス部材の係止爪に係合する係止爪が上方に向けて突設されていることが望ましい。
【００１１】
また、上記構成のバックルにおいて、前記メス部材の開口と反対側の後方には、ベルトを予め挿通するためのベルト取付部が設けられていることが望ましい。
【００１２】
また、上記構成のバックルにおいて、前記オス部材の係合部上には、押下することにより当該係合部の係合を解除することができる押圧面が設けられるとともに、前記押圧面上には、滑り止め突起が設けられていることが望ましい。
【００１３】
また、上記構成のバックルにおいて、前記オス部材の係合部は、前方側に向けて片側支持状態で弾力性のある係合部であり、
前記係合部の両側にはそれぞれ当接部と隔離溝が設けられており、
前記メス部材の係合空間の両側には、前記係合部の両側の当接部に当接して前記係合部の弾性変形を規制するためのストッパ平面が設けられていることが望ましい。
【００１４】
また、上記構成のバックルにおいて、前記オス部材の係合部と反対側の後方には、ベルトを予め挿通するためのベルト取付部が設けられていることが望ましい。
【００１５】
即ち、上記構成のバックルによれば、メス部材の前方開口内には係合空間が設けられ、しかも係合空間の両側にはガイド空間が設けられており、そしてメス部材が開口に設けられている係合空間を用いてオス部材の片側支持状態の係合部に対応して係止保持すると共に、係合部両側の隔離溝によって係合部に好ましい弾性変形効果を持たせることで、係合部をスムーズに係合空間に対応して係合させることができる。また、係合部両側の当接部が係合空間の両側のストッパ平面上に当接されることで、係合を解除する際に押下されるオス部材の係合部の弾性変形を規制し、過度な押下げによる破損を防止することができる。さらに、オス部材における係合部両側に設けられているガイド突起が、メス部材の両側ガイド空間にそれぞれスライドして進入して、位置合わせ係合されると同時に規制ガイドの作用を生み出し、堅固に係合し結合されることで、オス部材とメス部材が手際よく係合される作用を達成するとともに、バックルの軸方向及び垂直方向での抗引張り強度を高めることができる。
【発明の効果】
【００１６】
このように、本発明のバックルは、係合部をスムーズに係合空間に対応して係合させることができ、オス部材とメス部材を手際よく係合させると共に、バックルの軸方向及び垂直方向での抗引張り強度を高めることができる。
【発明を実施するための最良の形態】
【００１７】
上記目的および効果を達成するために、本発明で採用する技術的手段およびその構造は、ここに図面あげて、本発明の好ましい実施形態について特徴および機能を以下のとおり詳しい説明を行うことで、完全なる理解を図るものである。
【００１８】
本発明の立体外観図、立体分解図、組立前の側面断面図である図１、図２、図３を参照されたい。
図中から明確に理解できるように、本考案の前開き式のバックル３はメス部材１と、オス部材２とから構成されている。
このうち、前記メス部材１の前方には開口１１が設けられ、開口１１内には係合空間１１１が設けられ、係合空間１１１内には係止爪１１２が下方に向けて突設されている。そして、係合空間１１１の両側にはガイド空間１１３がそれぞれ凹設され、更には係合空間１１１とガイド空間１１３との間にはストッパ平面１１４が連続しており、またメス部材１における開口１１と反対側の後方にはベルト取付部１２が設けられている。
【００１９】
前記オス部材２の前方には片側支持状態の係合部２１が設けられており、しかも係合部２１の表面は概ね窪んだ押圧面２１１を備えており、押圧面２１１には複数の滑り止め突起２１１１が設けられている。係合部２１の前方には上方に向けて突出した係止爪２１２が設けられ、更に係合部２１の両側には当接部２１３が設けられ、そしてそれぞれ当接部２１３より両側に向けて更に隔離溝２１４が設けられ、しかも隔離溝２１４には両側に向けてガイド突起２１５が突設されている。オス部材２における係合部２１と反対側の後方には、貫通したベルト取付部２２が設けられている。
【００２０】
上記部材を組合わせて使用するときには、メス部材１の開口１１を用いて、オス部材２が係合部２１により係合する。係合空間１１１の係止爪１１２により係合部２１の係止爪２１２を押して、係止爪２１２に弾性変形を発生させて、垂直方向で係止保持する。そして係止爪２１２が係止爪１１２に堅固に係止されるとともに、係止爪２１２の両側に配置されている当接部２１３が係止爪１１２の両側のストッパ平面１１４上に当接することで、係止爪２１２と係止爪１１２の係合を解除する際に押下されるオス部材２の係合部２１の弾性変形を規制し、過度な押下げによる破損を防止する。
【００２１】
また、オス部材２の係合部２１の両側に設けられるガイド突起２１５は、それぞれメス部材１の開口１１の両側に設けられたガイド空間１１３内にスライドして進入するとともに、係合部２１の係止爪２１２と係合空間１１１の係止爪１１２とが正確に位置合わせされて、前開き式のバックル３が手際よく組み合わされ、更には前開き式のバックル３の垂直方向及び軸方向での抗引張り力強度を高めることができる。
【００２２】
上記したバックル３のメス部材１及びオス部材２は対応する係合関係、つまり係合部２１及びガイド突起２１５と、係合空間１１１及びガイド空間１１３との間の係合位置合わせ、補正は簡単に完了することができ、精密な公差許容値を持たせる必要はなくとも、製造工程における製品の歩留まりもまた相対的に向上させることができる。
【００２３】
しかもオス部材２における押圧面２１１の表面面積は広く、押下しやすいうえ、比較的小さな物品(例えば帽子のバックル、ペットのリード、下着、IDカード)などにも適用することができ、いずれもオス部材２の押圧面２１１を押圧することにより、メス部材１との係合状態を解除することができるものであり、押圧空間が大きく、使いやすく、製品の応用性に優れている。しかもオス部材２は、係合部２１の両側に設けられている隔離溝２１４が係止爪２１２とガイド突起２１５とを適宜に隔離して、係合部２１に好ましい弾性機能を持たせることができるので、押圧面２１１が押下されたとき、係止爪２１２に好ましい弾性変形がもたらされ、湾曲、形状変化または破断に到ることはなくなる。
【００２４】
更に本発明の組立前の側面断面図、組立後の側面断面図、組立前の立体断面図、組立後の立体断面図である図３、図４、図５、図６を参照されたい。
図中から明確に理解できるように、本発明のバックル３は、メス部材１及びオス部材２の両側のベルト取付部１２，２２により、それぞれベルト４が挿通して固定されている。そしてオス部材２の係合部２１がメス部材１の係合空間１１１内に係合され、さらに係止爪２１２と係止爪１１２とが係止固定される。また、係合部２１と係合空間１１１とが対応して係止保持されたとき、係合部２１の係止爪２１２が下方に弾性変形して移動するとともに係合空間１１１に向けて移動して係止爪１１２に当接する。そして係止爪２１２が係止爪１１２内部に移動進入し、係止爪２１２は弾性復位により上方に弾性的に持上げられるとともに、係止爪１１２内に係合し、ひいては堅固に係合、保持固定される。
【００２５】
そして、係止爪２１２と係止爪１１２が対向して係合されるとき、同時に係止爪２１２両側のガイド突起２１５が、係止爪１１２の両側のガイド空間１１３内にスライド進入し、係合部２１と係合空間１１１とが正確に位置合わせされるので、歪みも、ずれもなくなるとともに、オス部材２における軸方向の脱落を防止し、軸方向および垂直方向での抗引張り力強度を高めることができる。
【００２６】
そして、バックル３のメス部材１とオス部材２の係合状態を解除したいときには、オス部材２の係合部２１上における押圧面２１１に触れて、片側支持状態の係合部２１を下方に弾性変形させるとともに、係合部２１の係止爪２１２を下方に湾曲させることによって、係合空間１１１の係止爪１１２の係合保持を解除する。つまり、オス部材２をメス部材１から離れる後方側に押動して、オス部材２の係合部２１をメス部材１の係合空間１１１から退出させると共に、係合部２１の両側のガイド突起２１５を係合空間１１１の両側のガイド空間１１３からそれぞれ退出させることで、オス部材２はメス部材１の開口１１からスムーズに退出させることができる。
【００２７】
なお、上記は単に本発明の好ましい実施形態に過ぎず、本発明の範囲を限定するためのものではない。本発明の範囲のバックル３は、メス部材１の開口１１における係合空間１１１を用いてオス部材２の係合部２１を互いに係合保持するとともに、係合部２１の両側のガイド突起２１５をそれぞれ係合空間１１１の両側のガイド空間１１３内にスライド進入させ、係合部２１の両側の隔離溝２１４によって係止爪２１２の弾性変形をもたらし、係止爪１１２への係合保持をスムーズにすることができる。また、ガイド突起２１５、ガイド空間１１３および当接部２１３、ストッパ平面１１４で規制的にスライドさせることによって、係合部２１と係合空間１１１の位置合わせにて歪み、位置ずれがないという目的を達成することができるので、凡そ前記した効果を達成できる構造、装置はいずれも本発明に含まれるものであり、このような簡易な付加および等価の構造的改変は、いずれも本発明の特許範囲内に含まれるべきであることを合わせて明言しておく。
【００２８】
上記した本発明に係る前開き式のバックルは実際の使用において、以下のような長所を備えることができる。
（１）バックル３は、オス部材２の係合部２１表面に、係合状態を解除するための押圧面２１１が設けられており、押圧面２１１に力が付与されることで係合部２１を下方に弾性変形させて、係合部２１と係合空間１１１の係合保持を解除することができる。オス部材２の押圧面２１１の表面面積は広く、押下しやすいうえ、比較的小さな物品(例えば帽子のバックル、ペットのリード、下着、IDカード)などに適用することができ、いずれもオス部材２の押圧面２１１を押圧することにより、係合状態を解除することができるものであり、押圧空間が大きく、使いやすく、製品の応用性に優れている。
【００２９】
（２）バックル３のメス部材１及びオス部材２の外形が簡素であり、便利に速く製造でき、組合わせ時の公差許容値も精密にする必要がないので、製造完了時の完成品の歩留まりを高めるとともに、製造コストを削減し、経済的な効果に適合する。
【００３０】
（３）オス部材２の係合部２１をメス部材１の開口１１の係合空間１１１に位置合わせするとともに、係合部２１の両側のガイド突起２１５をそれぞれ係合空間１１１の両側のガイド空間１１３内にスライド進入させることによって、規制作用を達成して係合部２１と係合空間１１１を正確に位置合わせすることができるので、歪み、位置ずれがなくなり、バックル３の係合が堅固となり、係着は確かなものとなる。
【００３１】
従って、本発明は主にバックルのオス部材とメス部材を互いに位置合わせできる係合に関し、オス部材の係合部とメス部材の係合空間とを位置合わせするとともに、係合部の両側のガイド突起を係合空間の両側のガイド空間に位置合わせしながらスライドして保持することで、オス部材とメス部材を正確に位置合わせし、互いに歪みのないように係合して垂直方向及び軸方向の抗引張り強度を高めることを主な保護の重点とするものである。また、オス部材の片側支持状態の係合部とメス部材の係合空間とを弾性変形により係合保持させるだけで、保持固定するとともに軸方向の脱落、外れを防止するという特長を備える。ただし、上記は単に本発明の好ましい実施形態に過ぎず、本発明の範囲を限定するためのものではない。よって、本発明の明細書および図面の内容を運用してなされる簡易な付加および等価の構造的改変は、いずれも本発明の範囲内に含まれるべきであることを合わせて明言しておく。
【００３２】
上記をまとめるに、本発明の前開き式のバックルは使用時において、その効果および目的を確実に達成することができる。よって本発明は確かに実用性に優れた発明であるので、ここに法に基づき特許を出願するものである。審査官殿には本願に一日も早く登録査定が下されることにより、発明者の苦労による発明が保証されることを願うものである。もし貴局におかれては、何らかの疑問がある場合には、発明者は協力を惜しむものではないので、極力書簡にて指示していただきますよう切望する次第である。
【図面の簡単な説明】
【００３３】
【図１】本発明の立体外観図である。
【図２】本発明の立体分解図である。
【図３】本発明の組立前の側面断面図である。
【図４】本発明の組立後の側面断面図である。
【図５】本発明の組立前の立体断面図である。
【図６】本発明の組立後の立体断面図である。
【図７】従来のバックルの立体分解図である。
【図８】従来のバックルの平面分解図である。
【符号の説明】
【００３４】
１、メス部材                  ２、オス部材
３、バックル                  ４、ベルト
１１、開口                    １２、ベルト取付部
２１、係合部                  ２２、ベルト取付部
１１１、係合空間              １１２、係止爪
１１３、ガイド空間            １１４、ストッパ平面
２１１、押圧面                ２１２、係止爪
２１３、当接部                ２１４、隔離溝
２１５、ガイド突起            ２１５、ガイド突起
２１１１、滑り止め突起
Ａ、バックル
Ａ１、オス部材                Ａ２、メス部材
Ａ１１、弾性腕部              Ａ２１、開口
Ａ１２、棒状体                Ａ２１１、ガイドレール
Ａ１３、係止爪                Ａ２２、側部開口
Ａ１４、切欠き                Ａ２２１、側部壁面
【図１】
2009056302.tif 000003
【図２】
2009056302.tif 000004
【図３】
2009056302.tif 000005
【図４】
2009056302.tif 000006
【図５】
2009056302.tif 000007
【図６】
2009056302.tif 000008
【図７】
2009056302.tif 000009
【図８】
2009056302.tif 000010